(57)【特許請求の範囲】
【請求項１】
テレビカメラを保持するカメラ保持台と、該カメラ保持台の下端に取り付けられた２本の脚部材とを有し、該２本の脚部材に支えられることによって前記カメラ保持台が机の上などに立ち上がった姿勢を取り、前記テレビカメラにより撮像された映像を外部に出力する映像回路を備えた資料提示装置であって、
前記２本の各脚部材は、
その一端の側において前記カメラ保持台に回転可能に取り付けられ、該カメラ保持台の外形に近接した収納位置と該カメラ保持台を挟む支持位置の両位置の間を回転移動可能に構成されており、
前記支持位置において、その上面を前記カメラ保持台から突出した規制部材に当接させた状態で停止し、
前記収納位置から前記支持位置への回転移動によって、前記カメラ保持台が前記立ち上がった姿勢を取ることができるように、前記カメラ保持台を支え、
前記カメラ保持台は、前記２本の脚部材で支えられた前記立ち上がった姿勢で、前記テレビカメラを、前記２本の脚部材が囲む領域を撮像可能に保持する
資料提示装置。
【請求項２】
前記脚部材は、前記収納位置から前記規制部材の側とは反対側に回転して該規制部材に接触する位置まで移動する請求項１記載の資料提示装置。
【請求項３】
前記２本の脚部材は、前記支持位置において、略９０度をなした角度に配置された請求項１記載の資料提示装置。
【請求項４】
前記カメラ保持台は、前記テレビカメラを前記２本の脚部材が囲む領域を撮像可能に保持した状態で、該テレビカメラを光軸の周りに回転可能に保持する請求項１記載の資料提示装置。
【請求項５】
前記２本の脚部材の各々の前記収納位置は、前記カメラ保持台の両側面であり、該収納位置に挟まれた該カメラ保持台の背面に、前記映像回路の出力端子が配置された請求項１記載の資料提示装置。
【請求項６】
前記脚部材の載置面側には、載置面に接触する足が設けられ
、資料提示装置を、２本の脚部材に設けられた該足と前記カメラ保持台の下端との３点で支持する構成を備えた請求項１記載の資料提示装置。
【請求項７】
前記足と前記カメラ保持台の下端との間に、載置面上に置かれた所定幅のシートが通過可能な間隙が構成される請求項６記載の資料提示装置。
【発明の詳細な説明】
【０００１】
【発明の属する技術分野】
本発明は、資料提示装置に関し、テレビカメラを保持するカメラ保持台を有し、該テレビカメラにより撮像された映像を外部に出力する映像回路を備えた資料提示装置に関する。
【０００２】
【従来の技術】
従来、この種の資料提示装置は、図１４に示すように、資料を載置する資料台ＤＤを備え、この上に載置された資料ＤＣをアームＡＲにより保持されたテレビカメラＣＭにより撮像して、ビデオ信号として外部に出力する映像回路を有する。この映像回路の出力をモニタテレビＭＴに接続することで、テレビカメラＣＭにより撮像された資料台ＤＤ上の資料、例えば原稿や模型などの映像は、離れた場所のモニタテレビＭＴ上に映し出され、プレゼンテーションなどに用いられる。
【０００３】
こうした資料提示装置は、資料台ＤＤ上にコンピュータ用のキーボードを置けば、キーボード操作の様子を撮像することができ、あるいは実験や調理の様子などをそのまま映し出すことができるので、実演の提示などにも用いられている。また、最近では、ビデオ信号を取り込むことができるコンピュータが普及しており、いわゆるキャプチャ機能を利用して画像の取り込みを行なう画像取り込み装置としても、これらの資料提示装置が用いられている。
【０００４】
【発明が解決しようとする課題】
しかしながら、従来の資料提示装置では、資料を載置する資料台が設けられているため、例えテレビカメラを保持した保持部（例えばアームＡＲ）を折り畳み可能な構成としても、資料台ＤＤのサイズ以下に折り畳むことは困難であり、十分な携帯性を実現することが困難であった。コンピュータへの画像取り込み装置として用いる場合には、こうした資料提示装置は、コンピュータの近くに置かれることになるが、コンピュータ周りに資料提示装置を出しっぱなしにするほどのスペースを確保できない場合も多い。従来の資料提示装置は、設置スペースの低減と、収納のコンパクトさという要請に十分に応えることができなかった。
【０００５】
また、資料台に上に置けないほどの厚みのあるもの、例えば水槽などでは、その表面を撮像することは、従来の資料提示装置ではできなかった。また、資料提示装置を置く場所が凸凹しているような場合には、資料提示装置を安定に設置することが困難であった。
【０００６】
本発明は、上記問題点を解決するためになされ、第一に設置スペースを低減すること、第二に収納性を改善することを目的とする。
【０００７】
【課題を解決するための手段およびその作用・効果】
かかる目的を達成するために、本発明の資料提示装置は、
テレビカメラを保持するカメラ保持台と、該カメラ保持台の下端に取り付けられた２本の脚部材とを有し、該２本の脚部材に支えられることによって前記カメラ保持台が机の上などに立ち上がった姿勢を取り、前記テレビカメラにより撮像された映像を外部に出力する映像回路を備えた資料提示装置であって、
前記２本の各脚部材は、
その一端の側において前記カメラ保持台に回転可能に取り付けられ、該カメラ保持台の外形に近接した収納位置と該カメラ保持台を挟む支持位置の両位置の間を回転移動可能に構成されており、
前記支持位置において、その上面を前記カメラ保持台から突出した規制部材に当接させた状態で停止し、
前記収納位置から前記支持位置への回転移動によって、前記カメラ保持台が前記立ち上がった姿勢を取ることができるように、前記カメラ保持台を支え、
前記カメラ保持台は、前記２本の脚部材で支えられた前記立ち上がった姿勢で、前記テレビカメラを、前記２本の脚部材が囲む領域を撮像可能に保持することを要旨とする。
【０００８】
この資料提示装置は、従来の資料台に相当する部材が存在せず、テレビカメラを保持したカメラ保持台は、該カメラ保持台の下端に取り付けられた２本の脚部材により支持されて机の上などに立ち上がった姿勢を取り、この２本の脚部材が囲む領域をテレビカメラが撮像可能となっている。従って、本発明の資料提示装置の設置スペースは、カメラ保持台の下端とこれに取りつけられた２本の脚部材のスペースだけで済み、例えば使用していない状態では、撮像領域でコンピュータ用のポインティングデバイスであるマウスなどを使用することも何等差し支えない。あるいは、２本の脚部材を、コンピュータなどの機器の外形に合わせて置くこともでき、不使用時の設置スペースを大きく低減することができる。この資料提示装置は、設置面に従来の資料台を有しないので、脚部材に囲まれた領域のあらゆるものを撮像可能である。例えばそのまま水槽の縁に脚部材を乗せるような使い方も可能である。
【０００９】
また、本発明の資料提示装置では、２本の各脚部材は、その一端の側においてカメラ保持台に回転可能に取り付けられ、該カメラ保持台の外形に近接した収納位置と該カメラ保持台を挟む支持位置の両位置の間を回転移動可能に構成されており、前記支持位置において、その上面を前記カメラ保持台から突出した規制部材に当接させた状態で停止し、前記収納位置から前記支持位置への回転移動によって、前記カメラ保持台が前記立ち上がった姿勢を取ることができるように、前記カメラ保持台を支える。前記カメラ保持台は、前記２本の脚部材で支えられた前記立ち上がった姿勢で、前記テレビカメラを、前記２本の脚部材が囲む領域を撮像可能に保持する。なお、脚部材は、後述するように不使用時には折り畳むなどの構成を採って、その収納性を一層高めることもできるが、カメラ保持台に固定されたものであっても差し支えない。
【００１０】
脚部材を収納位置と支持位置とに移動可能な構成とした場合には、脚部材は、カメラ保持台の外形形状に沿った形に収納することができ、その携帯性は改善される。もとより、２本の脚部材を２本とも、収納可能とすることは、携帯性、収納性を改善する上で有効である。なお、脚部材の移動の形態としては、脚部材の一端がカメラ保持台に回転可能に取りつけられ、脚部材が回転移動する形態、脚部材が取り外し可能に設けられており、取り外すことにより移動する形態、脚部材が多段のロッド構造となっており、最大長まで引き出されたロッドが外筒に次々と収納されて移動する形態、など様々な形態が可能である。
【００１１】
脚部材を移動可能な構成とした場合には、移動可能な脚部材が、カメラ保持台を支持する支持位置に移動されたとき、この脚部材の移動を規制する規制部材を備える構成とすることが望ましい。このとき、支持位置では、脚部材の移動は規制され、脚部材は、カメラ保持台をしっかりと支持する。
【００１２】
こうした規制部材の構成としては様々なものが考えられるが、脚部材が支持位置に移動した後に、該脚部材の移動を規制する位置に移動するタイプのものが採用可能である。こうしたタイプのものとしては、脚部材が支持位置に移動する際には、後退して脚部材の移動を可能とし、一旦脚部材が支持位置に移動すると、突出して脚部材の反対方向への移動を規制するノッチタイプのものなどを考えることができる。
【００１３】
あるいは、他の形態の規制部材としては、カメラ保持台から単純に突出形成された部材を用いることができる。この場合には、脚部材が、その収納位置から規制部材の側とは反対側に回転して規制部材に接触する位置まで移動する構成とすればよい。この構成の場合には、規制部材を固定的なものにできるので、構成を簡略化でき、また規制部材により脚部材の規制を強固に行なうことができる。
【００１４】
本発明の資料提示装置において採用された２本の脚部材の配置の自由度は高いが、脚部材を略９０度をなした角度に配置するものとすれば、撮像可能な領域がわかりやすく、かつ他の装置との整合性を高くすることもできる。
【００１５】
更に、この資料提示装置においてカメラ保持機構を、テレビカメラが、２本の脚部材が囲む領域を撮像可能に保持した状態で、その光軸の周りに回転可能に保持することも好適である。この場合には、撮像可能領域の上下左右がテレビカメラの回転に応じて回転することになり、資料に対して所望の角度で撮像できるだけでなく、資料提示装置の配置の自由度も高められると言う利点が得られる。
【００１６】
２本の脚部材の各々がカメラ保持台に回転可能に取りつけられている場合には、両脚部材の各々の収納位置を、カメラ保持台の両側面とすることができ、この収納位置に挟まれた該カメラ保持台の背面に、映像回路の出力端子を配置することができる。この場合には、資料提示装置に接続された映像信号のためのケーブルを取り外すことなく、脚部材を回転して、資料提示装置の収納や設置を行なうことができる。
【００１７】
更に、脚部材の載置面側に、載置面に接触する足を設け、資料提示装置を、２本の脚部材に設けられたこの足とカメラ保持台の下端との３点で支持する構成をとることも可能である。この場合、資料提示装置は、３点で支持されるので、装置の安定性が高く、接地面の凹凸などの影響を受けにくい。
【００１８】
この足とカメラ保持台の下端との間に、資料提示装置の設置面上に置かれた所定幅のシートが通過可能な間隙を構成すれば、使用済みのシートをこの間隙から送り出すことができ、資料提示装置においてロール状のシートなどを用いることも可能である。
【００１９】
【発明の他の態様】
この発明は、以下のような他の態様も含んでいる。第１の態様は、資料提示装置が合成樹脂から形成されたものである。合成樹脂の使用により、装置全体の重量を軽減し、資料提示装置の一層の携帯性を実現することができる。また、第２の態様としては、この資料提示装置が他の機器からの映像信号または／および音声信号を入力する端子を備え、テレビカメラにより撮像した映像信号に代えて／映像信号と共に外部に出力可能な構成を有する構成である。この場合には、この資料提示装置が、映像信号などのセレクタないしミキサーとして機能する。本発明の資料提示装置は、携帯性、収納性に優れるので、映像信号を用いる機器に接続したままにしておく使用形態が考えられ、こうした場合に、他の機器からの映像信号を利用することが容易となる。
【００２０】
【発明の実施の形態】
以上説明した本発明の構成、作用を一層明らかにするために、以下本発明の資料提示装置の好適な実施例について説明する。図１および図２は実施例である資料提示装置２０の組立過程を示す全体斜視図、図３は資料提示装置２０の脚部材２６，２８を折り畳んだ状態を示す外観図である。また、図４は、カメラ部２４により人物や風景などを撮影する状態を示す斜視図であり、図５は、カメラ部２４により机などの上の資料ＤＣを撮影する状態を示す斜視図である。説明の都合上、まず図３に基づいて折り畳んだ状態から説明する。
【００２１】
図示するように、この資料提示装置２０は、非使用時には、その脚部材２６，２８は、支柱２２側に折り畳まれて、全体がコンパクトな形状に畳まれている。脚部材２６，２８は、支柱２２の端部側面（互いに約９０度をなすよう面取りされた側面）に回転自在に取りつけられている。この状態から、支柱２２を持って、まず片側の脚部材（ここでは脚部材２６）をその回転軸Ａの周りに回転する。回転方向は、図１矢印Ｆ１→Ｆ２→Ｆ３である。収納位置から回転移動した脚部材２６は、ストッパ３０Ａに脚部材２６の一側面が当たる位置で停止する。この位置を、図１に符号ＬＬで示した。次に、反対側の脚部材２８を、図２に示すように、回転軸Ｂの周りに、脚部材２６同様回転する。回転方向は、図２矢印Ｇ１→Ｇ２→Ｇ３である。収納位置から回転移動した脚部材２８は、ストッパ３０Ｂに、その一側面が当たる位置で停止する。この位置を、図２に、符号ＬＲで示した。
【００２２】
結果的には、脚部材２６，脚部材２８は、各々の回転軸Ａ，Ｂの周りに略２７０度回転し、支柱２２に設けられたストッパ３０Ａ，３０Ｂに、その側面が当たる位置まで回転される。この状態で、資料提示装置２０を机の上などに置けば、資料提示装置２０は、支柱２２の下端２２Ｂと、脚部材２６，脚部材２８の先端下部に設けられた足２６Ａ，２８Ａの三点に支えられて、安定に立つ。机などに接するのが、三点になっていることから、机上の僅かな凹凸などに影響されることがなく、安定に載置される。また、支柱２２の下端２２Ｂから脚部材２６，２８の足２６Ａ，２８Ａまでの間は、机の上面と脚部材２６もしくは脚部材２８との間に間隙が形成されるから、長尺上のシートなどをこの間隙を介して搬送するといった使い方も可能である。
【００２３】
脚部材２６，脚部材２８がその収納位置から展開した状態から、カメラ部２４を、図２矢印Ｃ方向に引き起こすと、カメラ部２４、その一端が支柱２２の上端に、回転軸２１により回転可能に取りつけられているので、図４に示す位置（以下、この位置を人物撮像位置と呼ぶ）を経て、図５に示す位置（以下、この位置を資料撮像位置と呼ぶ）に至る。本実施例では、上記の支柱２２が、特許請求の範囲における「カメラ保持台」に相当する。
【００２４】
資料提示装置２０の収納時には、上述した手順を逆に取ればよい。収納状態では、カメラ部２４の頭部は、支柱２２の段部２２Ａに接した状態となる。
【００２５】
なお、資料撮像位置と人物撮像位置とでは、カメラ部２４が撮像した映像の上下は一般に逆になる。そこで、この資料提示装置２０では、カメラ部２４に内蔵したＣＣＤカメラ２３を、ツマミ２７を操作することで、少なくとも１８０度回転可能に支持している。したがって、資料撮像位置で撮像していたカメラ部２４を引き起こして人物撮像位置にセットする場合には、ツマミ２７を回動して、カメラ部２４に収納されたＣＣＤカメラ２３を、その光軸の周りに１８０度回転させる。ＣＣＤカメラ２３の回転の機構については、後述する。
【００２６】
資料提示装置２０の脚部材２６，２８が収納位置から回転・展開され、カメラ部２４も回転されて資料撮像位置にセットされているものとして、以下説明する。実施例の資料提示装置２０は、支柱２２、その一方端部に回転可能に取りつけられ資料を撮像するカメラ部２４、支柱２２を支える脚部材２６，２８から構成されていることは既に説明した。カメラ部２４は、ズーム調整部やホワイトバランス調整部などを備えており、後述する電気回路によりこれらの各部が制御され、その撮像結果をＮＴＳＣ方式の画像信号に変換して出力端子に出力している。これらの映像信号の入出力用の端子が、支柱２２の一方の側面に設けられている。
【００２７】
この資料提示装置２０には、映像信号を入力する端子も設けられており、内部のセレクタを介して、カメラ部２４により撮像した映像信号または外部から入力した映像および音声信号のいずれかの信号を出力することができる。これらの入出力信号の端子の配列を図４によって説明する。入出力信号の端子は、大きくは、信号の出力端子、同期信号端子、入力信号端子、制御信号端子に分かれている。信号の出力端子には、音声信号の出力端子３１，映像信号の出力端子３２，映像のＳ−ＶＩＤＥＯ出力端子３３がある。同期信号端子は、映像信号の外部同期を取るための外部同期信号入力端子３５が用意されている。また、入力信号端子としては、音声入力端子３６および映像入力端子３７が用意されている。制御信号端子は、外部のコンピュータ等によりこの資料提示装置２０を制御するためのものであり、ＲＳ−２３２Ｃ規格の外部制御用端子３８が設けられている。
【００２８】
これらの端子群は、脚部材２６の回転範囲とは全く干渉しない位置に設けられている。したがって、映像信号などの入出力端子にケーブルが接続されている場合でも、これらのケーブルと干渉することなく、収納位置から通常の使用位置まで脚部材２６を回転することができる。即ち、ケーブルなどを接続したまま、本実施例の資料提示装置２０は折り畳んでおくことができるのである。
【００２９】
映像や音声信号の入出力端子が設けられた支柱２２の一側面とは反対側の側面には、図１または図３に示すように、電源スイッチ５０、操作部５２が設けられている。操作部５２には、ポインタの表示を行なうポインタスイッチ５３、外部制御用端子３８から入力される信号のボーレートを設定するボーレート設定スイッチ５４、カメラ部２４の焦点の自動調整を指示するオートフォーカスボタン５５、カメラ部２４のズームをテレ方向に調整するかワイド方向に調整するかの指示を行なうテレボタン５７およびワイドボタン５８が配列されている。この操作部５２も、端子群同様、脚部材２８の回転範囲とは全く干渉しない位置に設けられている。
【００３０】
また、支柱２２の背面、即ち収納された脚部材２６，２８に挟まれた面には、図３に示したように、映像信号の設定スイッチ群６１が配列されている。こうしたスイッチとしては、外部同期信号に対する色相切換用の第１，第２スイッチ６２，６３、色相および水平位相調整用ボリューム６４，６５、シャッタ速度の切換（１／６０または１／１００）スイッチ６７が用意されている。
【００３１】
次に、撮像手段であるカメラ部２４の構成について説明する。図６は、カメラ部２４の外ケースをはずした状態で、その内部を示す斜視図である。また、図７は、この資料提示装置２０の電気的な構成を示すブロック図である。カメラ部２４の内部には、アイリス２４Ａ，フォーカスレンズ２４Ｂおよびズームレンズ２４Ｃの光学系が組み込まれている（図７参照）が、これらのレンズ群は、予め一体に組み込まれ、光学ユニット２９を構成しているので、外ケースをはずしただけでは直接目視することはできない。アイリス２４Ａは、入射光量を調整する絞りであり、図６に示すアイリスモータ２５Ａにより駆動される。フォーカスレンズ２４Ｂは、焦点の調整用に使用されるレンズであり、図６に示すフォーカスモータ２５Ｂにより駆動される。ズームレンズ２４Ｃは、最も倍率の高いテレ（望遠）と倍率の低いワイドとの間で、倍率を段階的に調節するためのレンズであり、撮像範囲の遠近の選択に用いられる。このズームレンズ２４Ｃは、図６に示すズームモータ２５Ｃによって駆動される。
【００３２】
フォーカスモータ２５Ｂは、直接には、後述するレンズ駆動回路８２により制御されるが、ＣＣＤカメラ２３により撮像された映像に基づいて焦点を自動的に合わせるオートフォーカス制御に用いられている。オートフォーカスは、ＣＣＤカメラ２３が撮像した所定画角の範囲の映像を用いて、焦点の自動調整を行なう機能である。図５に示した使用状態にあっては、自動焦点調整の対象となる画角の範囲とは、脚部材２６，２８に挟まれた撮像範囲を含む大きな画角の範囲（ＣＣＤカメラ２３による撮像範囲の中心約１／２）である。一方、図４の人物撮像位置にあっては、撮像対象となる画面は、ＣＣＤカメラ２３の撮像範囲中心の僅かな範囲にのみ位置することが多いから、自動焦点調整の対象となる画角は小さくしている。また、オートアイリス制御も上記同様の画角範囲の映像に基づいて行なわれる。
【００３３】
フォーカスレンズ２４Ｂやズームレンズ２４Ｃは、カメラ部２４内に組み込まれているが、クローズアップレンズ２４Ｄは、図６に示すように、外ケースの外に、開閉可能な取り付けられたマウント２５Ｄ上に取りつけられている。このクローズアップレンズ２４Ｄを、撮像用の光学路にセットすると、資料撮像位置において、机上の資料に対してズームレンズ２４Ｃをテレ側やワイド側に調整しても、資料上に焦点を合わせることが可能になる。クローズアップレンズ２４Ｄのマウント２５Ｄを開くことで（図４参照）、クローズアップレンズ２４Ｄを光学路から除けば、人物撮像位置で、カメラ部２４から離れた位置に焦点を合わせることが可能となる。実施例の資料提示装置２０では、カメラ部２４を回転することにより、二つの位置で撮像が可能であり、このため、カメラ部２４の撮像条件が、資料撮像位置における至近距離撮影から、人物撮像位置における所定距離以上の撮影まで大きく変化する。そこで実施例では、クローズアップレンズ２４Ｄをカメラ部２４本体から分離し、カメラ部２４を資料撮像位置（図５参照）にセットした状態を基本として、クローズアップレンズ２４Ｄはカメラ部２４に密着・固定されるものとしている。他方、人物撮像位置では、クローズアップレンズ２４Ｄを、カメラ部２４本体から分離できる構成としている。従って、カメラ部２４を人物撮像位置（図４参照）に回動したときには、このクローズアップレンズ２４Ｄは分離され、カメラ部２４の撮像条件を所定距離以上離れた場所を撮像する状態となる。本実施例では、クローズアップレンズ２４Ｄのマウント２５Ｄの動きは、手動としているが、カメラ部２４の位置の変化に応じて自動的に開閉する構造とすることも可能である。
【００３４】
クローズアップレンズ２４Ｄが光学路に入っているか否かにより変化するカメラ部２４の撮像条件を検出するため、カメラ部２４の前面部には、リミットスイッチ２４Ｓが設けてある。この様子を図６に示す。マイクロスイッチタイプのスイッチであるリミットスイッチ２４Ｓは、図示するように、カメラ部２４の内部に設けられており、その操作部に対応する位置には、開口２４Ｅが設けられている。他方、マウント２５Ｄには、突起２４Ｆが設けられている。クローズアップレンズ２４Ｄがカメラ部２４に密着する位置まで移動されると、この突起２４Ｆは、開口２４Ｅに嵌合し、開口２４Ｅの奥のリミットスイッチ２４Ｓの操作部を押圧・操作する。したがって、クローズアップレンズ２４Ｄを搭載したマウント２５Ｄがカメラ部２４から分離されたときはリミットスイッチ２４Ｓがオフ状態に、カメラ部２４に密着されたときはオン状態になる。
【００３５】
カメラ部２４の内部には、上記リミットスイッチ２４Ｓと同様にカメラ部２４の構成要素の収納デッドスペースを利用し、可視光照射部４０が内蔵されている。可視光照射部４０は、高輝度ＬＥＤ４０Ａを光源としており、図６に示すように、カメラ部２４前面の開口２４Ｇを介して、可視光を外部に照射する構成となっている。開口２４Ｇには、集光用のレンズ４０Ｂが設けられている。図７に簡略化して示したように、高輝度ＬＥＤ４０Ａから発光される可視光は、集光レンズ４０Ｂにより集光され、カメラ部２４の光軸と略同一の光軸で、カメラ部２４の撮像の方向に照射可能となっており、図４に示したように、資料撮像位置では、机上の資料ＤＣ上に光スポットＬＳを形成する。高輝度ＬＥＤ４０Ａの発光は、支柱２２の側面中央に設けられたポインタスイッチ５３の操作に応じた電気回路の制御により行なわれる。
【００３６】
この資料提示装置２０の各部は、図７に示したように、マイクロコンピュータ７０により制御されている。図７に拠って、資料提示装置２０の電気的な構成について説明する。なお、この資料提示装置２０の一部の操作は、既述した各種スイッチによっても行なえるが、これを遠隔操作するためのリモコン６０が設けられており、リモコン６０を用いることにより、その総ての機能を扱うことが可能となる。リモコン６０は、支柱２２の内側正面に設けられたリモコン収納凹部３０に収納可能である（図５参照）。リモコン６０の構成を図８に示した。
【００３７】
まずリモコン６０に用意された各種スイッチについて説明する。図８に示すように、リモコン６０には、絞りの開閉量をより開く側に、あるいはより閉じる側に調整するＯＰＥＮスイッチ６０ＡとＣＬＯＳＥスイッチ６０Ｂが設けられている。また、ＣＬＯＳＥスイッチ６０Ｂの下部には、絞りを初期設定の状態とするＮＯＲＭスイッチ６０Ｃが設けられている。これらのスイッチ右横には、カメラ部２４を人物撮像位置（図４参照）に回動したときの最適の画角・焦点・ズーム量などを設定するためのＦＡＣＥスイッチ６０Ｄ、所定の倍率や絞りの状態を予め記憶しておきその状態までカメラ部２４の各モータを駆動するＭＯＶＥスイッチ６０Ｅ、現在の画角・焦点・ズーム量などを記憶するＰＲＥＳＥＴスイッチ６０Ｆが設けられている。
【００３８】
これらのスイッチ群の下側には、フォーカス調整用のスイッチが設けられている。一つは、焦点距離を近い位置の側に調節するためのＮＥＡＲスイッチ６０Ｇであり、他の一つは、焦点距離を遠い位置の側に調整するためのＦＡＲスイッチ６０Ｈである。更にその下部には、ズームを望遠側（テレ）から広角側（ワイド）までを調節するための２接点型のＴＥＬＥ／ＷＩＤＥスイッチ６０Ｉが設けられている。これらのスイッチの他、出力端子から出力する画像信号をカメラ部２４の撮像信号（ＩＮＴ）と外部入力信号（ＥＸＴ）とに切り換えるＩＮＰＵＴスイッチ６０Ｊ、オートフォーカス機能を手動で起動するためのＡＦスイッチ６０Ｋおよび支柱２２に設けられたポインタスイッチ５３と同様に可視光照射部４０を操作するためのＰＯＩＮＴスイッチ６０Ｌが備えられている。リモコン６０は図示しない赤外線発光ダイオードを内蔵しており、上記スイッチ６０Ａ〜６０Ｌの操作に応じたコード情報を赤外線信号として無線送信する。
【００３９】
このリモコン６０に対応して設けられたリモコン受信部８６は、リモコン６０からの赤外光による信号を電気信号に変換する回路であり、その出力も同様にマイクロコンピュータ７０に入力される。この結果、マイクロコンピュータ７０は、リモコン６０の各種スイッチの操作を逐一知ることができる。
【００４０】
マイクロコンピュータ７０は、リモコン６０からの指示をリモコン受信部８６を介して読み取り、あるいは操作部５２の操作を読み取って、各種の制御を実行する。図７に示すように、資料提示装置２０は、１チップのマイクロコンピュータ７０と、ＣＣＤカメラ２３からの映像信号を取り扱うその他の電気回路を内蔵している。マイクロコンピュータ７０は、論理演算を実行するＣＰＵ７０Ａ，不揮発的に情報を記憶するＲＯＭ７０Ｂ，ＣＰＵ７０Ａの主記憶となるＲＡＭ７０Ｃ，Ａ／Ｄ変換回路や波形成型回路などからなる入力部７０Ｄ，ＣＰＵ７０Ａからの出力指示に応じて負荷に適合した駆動信号を出力する出力部７０Ｅを内蔵している。カメラ部２４からの映像信号は、映像信号出力部７２により目的としているＮＴＳＣ方式の信号に変換され、信号切替スイッチ７４に入力される。信号切替スイッチ７４は、映像信号出力部７２および外部入力端子ＥＸＴに接続されており、コンピュータ７０からの指示に応じた映像信号を出力端子ＯＵＴに出力する。また、マイクロコンピュータ７０には、入力部７０Ｄを介して、操作部５２からの信号も入力されており、リモコン６０の操作と同様、操作部５２の各スイッチの操作状態を知ることができる。このほか、マイクロコンピュータ７０の出力部７０Ｅには、アイリスモータ２５Ａ，フォーカスモータ２５Ｂ，ズームモータ２５Ｃを駆動するレンズ駆動回路８２と、撮像している資料上にポインタを表示する可視光照射部４０と、オートフォーカスやオートアイリスの処理において利用する画像の領域を設定するエリア抽出回路７８とが接続されている。
【００４１】
カメラ部２４からの映像信号は、アイリス回路７５およびバンドパスフィルタ７６にも並列的に入力されている。バンドパスフィルタ７６では、所定周波数成分のみが取り出されて次段のエリア抽出回路７８そしてサンプルホールド回路８０に送られ、最終的にマイクロコンピュータ７０に入力される。この構成によりマイクロコンピュータ７０は、所定のエリア（資料撮像位置では、ＣＣＤカメラ２３の撮像範囲の中心約１／２、人物撮像位置ではこれより狭い範囲）の所定周波数範囲の信号を拾い出すことができる。マイクロコンピュータ７０は、フォーカスモータ２５Ｂを前後に駆動して、サンプルホールド回路８０からの信号に含まれるコントラストが最も強く検出される位置までフォーカスレンズ２４Ｂを駆動するいわゆる山登り方式の調整を行なう。こうして、オートフォーカスを実現することができる。
【００４２】
また、マイクロコンピュータ７０は、アイリス回路７５からの信号に基づいて、映像の所定エリア内の平均的な明るさを検出することができる。検出した平均的な明るさに基づいて、マイクロコンピュータ７０は、レンズ駆動回路８２を介してアイリスモータ２５Ａを駆動し、絞りを適正な位置まで制御する。これが、オートアイリス制御である。
【００４３】
ＷＩＮＤパルス発生回路８４は、カメラ部２４の位置をクローズアップレンズ２４Ｄの位置により判断して、エリア抽出回路７８およびアイリス回路７５に信号を送り、エリア抽出回路７８がサンプルホールド回路８０に映像信号を出力する画像の範囲の広さ、およびアイリス回路７５が像の明るさの信号を生成するために参照する画像範囲の広さを切り替えている。また、この結果、資料撮像位置か人物撮像位置かにより、用いる映像信号の範囲が変更され、上述したオートフォーカス制御およびオートアイリス制御が適正に行なわれる。
【００４４】
次に、カメラ部２４のＣＣＤカメラ２３の回転機構を説明する。図９は、カメラ部２４の外ケースをはずした状態をカメラ部２４の頭部側から見た平面図である。ＣＣＤカメラ２３と各種レンズ群を固定した光学ユニット２９は、この光軸の周りに回転可能に取りつけられており、図９に示すように、光学ユニット２９の上端は回転ガイド９２に固定されており、この回転ガイド９２は、光学ユニット２９と共に回転する。ツマミ２７を回すことにより、光学ユニット２９を回転することができる。
【００４５】
図９では、矢印ＡＷによりＣＣＤカメラ２３の上下方向を示した。回転ガイド９２には、中心角約９０度に亘って凸部９２ａが設けられており、この凸部９２ａの両肩がストッパ９０に当たることで、ＣＣＤカメラ２３の回転範囲は規制される。即ち、図９に示した状態では、回転ガイド９２の凸部９２ａの一方の肩部がストッパ９０に当たっており、これ以上、反時計回りに回ることはない。この位置を、図１０に位置ＰＡとして示した。このとき、ＣＣＤカメラ２３は、支柱２２の中心線（図９および図１０符号Ｙ）に対して略４５度回転した方向を上下方向とする位置にある。この位置ＰＡから、ツマミ２７を、更に時計回りに４５度移動すると、ＣＣＤカメラ２３は回転ガイド９２と共に回転し、位置ＰＢに至る。この位置ＰＢでは、ＣＣＤカメラ２３の上下方向は、支柱２２の中心線Ｙと一致する。
【００４６】
ツマミ２７を更に４５度回転し位置ＰＣに至ると、ＣＣＤカメラ２３の上下方向は、支柱２２の中心線Ｙから右に４５度傾いた状態となる。この状態のカメラ部２４の様子を図１１に示した。この状態では、光学ユニット２９は、図９に示した位置から時計回りに９０度回転している。光学ユニット２９の回転位置と、撮像している資料ＤＣとの関係を、図１２および図１３に示した。図１２に示すように、資料提示装置２０を脚部材２６が横方向に、脚部材２８が縦方向になるように置いて、位置ＰＡでは、資料縦横が脚部材２８，２６と平行になる。また、位置ＰＢでは、資料の上下方向が、支柱２２の中心線の方向と一致する。更に、位置ＰＣでは、図１３に示すように、資料提示装置２０を図１２とは左右反対に置いた状態で、資料の縦横が脚部材２６，２８と平行となる。
【００４７】
本実施例では、ツマミ２７を操作することにより、光学ユニット２９、延いてはＣＣＤカメラ２３の上下方向を、位置ＰＡから位置ＰＣまで、少なくとも９０度切り替えることができるので、資料提示装置２０を机上の自由な位置に置くことができる。なお、位置ＰＤは、図４に示した人物撮像位置で、ＣＣＤカメラ２３が撮像する映像の上下が正しくなる位置である。
【００４８】
以上詳しく説明したように、本実施例の資料提示装置２０は、いわゆる資料載置台に相当する部材がなく、脚部材２６および脚部材２８に囲まれた領域に置かれた資料ＤＣを撮像する。したがって、この脚部材２６，２８を図３に示したように折り畳めば、全体を極めてコンパクトに収納することができる。また、この脚部材２６，２８の展開および収納は、脚部材２６，２８をその回転軸Ａ，Ｂの周りに回転するだけでよく、極めて容易である。しかも、収納位置から回転された脚部材２６，２８、支柱２２の背面側に回り込み、略２７０度回転してストッパ３０Ａ，３０Ｂに当たって位置決めされるから、ストッパ３０Ａ，３０Ｂは、固定的に作り込むことができる。脚部材２６，２８が逆方向に回転する場合には、ストッパ３０Ａ，３０Ｂが脚部材２６，２８の移動に伴って一旦後退するように機構を設ける必要がある。この結果、本実施例では、脚部材２６，２８は、しっかりと支柱２２を保持する。
【００４９】
本実施例では、資料を載置する特別の台が存在しないから、資料提示装置２０は、例えば水槽の上に置いたり、ガラスのショーケースの上に置いて、その下部の資料を撮像することも可能である。また、映像入力機能を有するコンピュータの入力装置としてこの資料提示装置２０を用い、コンピュータの横に資料提示装置２０を置いて使用する際、光学ユニット２９を回転することにより、資料を自由な角度で撮像することができるから、コンピュータなどの配置に合わせて資料提示装置２０を置くことができる。また、不使用時に資料提示装置２０を収納しておく場合にも、ケーブルを接続したまま収納できるなど、その使い勝手は良好である。
【００５０】
なお、本実施例では、脚部材２６，２８は、支柱２２の背面側に約２７０度回転してストッパ３０Ａ，３０Ｂに当たる構成としたが、ストッパ３０Ａ，３０Ｂが支柱２２内に後退する構成とすれば、脚部材２６，２８の回転方向を逆にすることも可能である。この場合には、脚部材２６，２８の回転角度を小さくすることができる。
【００５１】
以上本発明の一実施例について説明したが、本発明はこの様な実施例になんら限定されるものではなく、本発明の要旨を逸脱しない範囲において種々なる態様で実施し得ることは勿論である。
【図面の簡単な説明】
【図１】本発明の一実施例である資料提示装置２０の一方の脚部材２６を収納位置から展開している様子を示す斜視図である。
【図２】同じく他の脚部材２８を展開している様子を示す斜視図である。
【図３】資料提示装置２０の脚部材２６，２８を折り畳んだ状態を示す斜視図である。
【図４】その資料提示装置２０の人物撮像位置での使用状態を示す全体斜視図である。
【図５】本発明の一実施例である資料提示装置２０の資料撮像位置での使用状態を示す全体斜視図である。
【図６】カメラ部２４の内部構造を示す斜視図である。
【図７】資料提示装置２０の電気的な構成を示すブロック図である。
【図８】資料提示装置２０を操作するリモコン６０の正面図である。
【図９】ＣＣＤカメラ２３を回転する機構を示す平面図である。
【図１０】ＣＣＤカメラ２３と回転ガイド９２の回転と停止位置とを示す説明図である。
【図１１】光学ユニット２９が位置ＰＣに至った時のカメラ部２４の内部の状態を示す斜視図である。
【図１２】資料提示装置２０の配置と撮像している資料との位置関係を示す説明図である。
【図１３】同じく資料提示装置２０の他の配置と資料との位置関係を示す説明図である。
【図１４】従来の資料提示装置ＶＰの構成例を示す斜視図である。
【符号の説明】
２０…資料提示装置
２１…回転軸
２２…支柱
２３…ＣＣＤカメラ
２４…カメラ部
２４Ａ…アイリス
２４Ｂ…フォーカスレンズ
２４Ｃ…ズームレンズ
２４Ｄ…クローズアップレンズ
２４Ｅ…開口
２４Ｆ…突起
２４Ｇ…開口
２４Ｓ…リミットスイッチ
２５Ａ…アイリスモータ
２５Ｂ…フォーカスモータ
２５Ｃ…ズームモータ
２５Ｄ…マウント
２６，２８…脚部材
２７…ツマミ
２９…光学ユニット
３０…リモコンホルダ
３０Ａ，３０Ｂ…ストッパ
３１…出力端子
３２…出力端子
３３…Ｓ−ＶＩＤＥＯ出力端子
３５…外部同期信号入力端子
３６…音声入力端子
３７…映像入力端子
３８…外部制御用端子
４０…可視光照射部
４０Ａ…高輝度ＬＥＤ
４０Ｂ…集光レンズ
５０…電源スイッチ
５２…操作部
５３…ポインタスイッチ
５４…ボーレート設定スイッチ
５５…オートフォーカスボタン
５７…テレボタン
５８…ワイドボタン
６０…リモコン
６０Ａ…ＯＰＥＮスイッチ
６０Ｂ…ＣＬＯＳＥスイッチ
６０Ｃ…ＮＯＲＭスイッチ
６０Ｄ…ＦＡＣＥスイッチ
６０Ｅ…ＭＯＶＥスイッチ
６０Ｆ…ＰＲＥＳＥＴスイッチ
６０Ｇ…ＮＥＡＲスイッチ
６０Ｈ…ＦＡＲスイッチ
６０Ｉ…ＴＥＬＥ／ＷＩＤＥスイッチ
６０Ｊ…ＩＮＰＵＴスイッチ
６０Ｋ…ＡＦスイッチ
６０Ｌ…ＰＯＩＮＴスイッチ
６１…設定スイッチ群
６２…第１スイッチ
６３…第２スイッチ
６４，６５…位相調整用ボリューム
６７…切換スイッチ
７０…マイクロコンピュータ
７０Ａ…ＣＰＵ
７０Ｂ…ＲＯＭ
７０Ｃ…ＲＡＭ
７０Ｄ…入力部
７０Ｅ…出力部
７２…映像信号出力部
７４…信号切替スイッチ
７５…アイリス回路
７６…バンドパスフィルタ
７８…エリア抽出回路
８０…サンプルホールド回路
８２…レンズ駆動回路
８４…ＷＩＮＤパルス発生回路
８６…リモコン受信部
９０…ストッパ
９２…回転ガイド
【図１】
0003631833.tif 000002
【図２】
0003631833.tif 000003
【図３】
0003631833.tif 000004
【図４】
0003631833.tif 000005
【図５】
0003631833.tif 000006
【図６】
0003631833.tif 000007
【図７】
0003631833.tif 000008
【図８】
0003631833.tif 000009
【図９】
0003631833.tif 000010
【図１０】
0003631833.tif 000011
【図１１】
0003631833.tif 000012
【図１２】
0003631833.tif 000013
【図１３】
0003631833.tif 000014
【図１４】
0003631833.tif 000015